(57)【要約】【課題】本発明の目的は、アタックでの入力音ピッチとサスティーンでの入力音ピッチの両方や、入力音ピッチの変化を確認しながら調律できるピッチ偏差表示方法や調律器を提供することである。【解決手段】本発明の調律器では、入力部、ピッチ検出部、ノート判別部、ピッチ偏差判別部、ピッチ偏差表示制御部、ピッチ偏差表示部を有する。ピッチ検出部は、入力音のピッチを検出する。ノート判別部は、ピッチ検出部で判定された入力音のピッチからノートを判別する。ピッチ偏差判別部は、ピッチとノートから決まる基準ピッチとのピッチ偏差を求める。ピッチ偏差表示制御部は、ノートが変化した場合には、ピッチ偏差に対応する表示素子を表示状態にし、その他の場合には、直前に表示状態となっている表示素子からピッチ偏差に対応する表示素子まで、表示状態となる表示素子を段階的に移動させる。【選択図】図５
2008129539.tif 000002
【特許請求の範囲】
【請求項１】
入力音から判別されたピッチと前記ピッチから判別されたノートから決まる基準ピッチとのピッチ偏差を、表示位置によって示すピッチ偏差表示方法であって、
無音状態あるいはピッチ検出不能状態からピッチ検出可能状態になった場合、または前記ノートが変化した場合には、遅延無くピッチ偏差に対応する表示位置を示し、
その他の場合には、表示位置を、直前の表示位置から最新のピッチ偏差に対応する表示位置まで段階的に移動させる
ことを特徴とするピッチ偏差表示方法。
【請求項２】
入力音から判別されたピッチと前記ピッチから判別されたノートから決まる基準ピッチとのピッチ偏差を、複数の表示素子のどの表示素子を表示状態にするかによって示すピッチ偏差表示方法であって、
入力音を取り込む入力ステップと、
入力音がピッチを検出できる状態かを判断する検出判断ステップと、
入力音のピッチを検出するピッチ検出ステップと、
前記ピッチ検出ステップで判定された入力音のピッチからノートを判別するノート判別ステップと、
前記ピッチと前記ノートから決まる基準ピッチとのピッチ偏差を求めるピッチ偏差判別ステップと、
前記ノートが変化した場合には、前記ピッチ偏差に対応する表示素子を表示状態にし、その他の場合には、直前に表示状態となっている表示素子から前記ピッチ偏差に対応する表示素子まで、表示状態となる表示素子を段階的に移動させるピッチ偏差表示制御ステップと
を有するピッチ偏差表示方法。
【請求項３】
請求項２記載のピッチ偏差表示方法であって、
さらに、
記録部のデータを初期化するリセットステップと、
記録部にノートのデータが記録されていない場合、記録部のノートの情報と前記ノート判別ステップで判別したノートとが異なる場合には、ジャンプメータフラグをＯＮにするジャンプ判断ステップと、
記録部のノートの情報を前記ノート判別ステップで判別したノートに変更するノート記録ステップと
を有し、
前記ピッチ偏差表示制御ステップが、
ジャンプメータフラグがＯＮの場合には、前記ピッチ偏差に対応する表示素子を表示状態にし、ジャンプメータフラグがＯＮではない場合には、直前に表示状態となっている表示素子から前記ピッチ偏差に対応する表示素子まで、表示状態とする表示素子を段階的に移動させる
ことを特徴とするピッチ偏差表示方法。
【請求項４】
請求項２または３記載のピッチ偏差表示方法であって、
前記表示素子がＬＣＤであり、
前記ピッチ偏差表示制御ステップでは、表示状態にするＬＣＤが所定の範囲以上に変化する時は、前記表示状態にするＬＣＤの他に、当該ＬＣＤと隣接するＬＣＤも所定の時間表示状態とする
ことを特徴とするピッチ偏差表示方法。
【請求項５】
複数の表示素子を備え、入力音から判別されたピッチと前記ピッチから判別されたノートから決まる基準ピッチとのピッチ偏差を、どの表示素子を表示状態にするかによって示す調律器であって、
入力音を取り込む入力部と、
入力音のピッチを検出するピッチ検出部と、
前記ピッチ検出部で判定された入力音のピッチからノートを判別するノート判別部と、
前記ピッチと前記ノートから決まる基準ピッチとのピッチ偏差を求めるピッチ偏差判別部と、
前記ノートが変化した場合には、前記ピッチ偏差に対応する表示素子を表示状態にし、その他の場合には、直前に表示状態となっている表示素子から前記ピッチ偏差に対応する表示素子まで、表示状態となる表示素子を段階的に移動させるピッチ偏差表示制御部と、
前記表示素子を備え、ピッチ偏差を表示するピッチ偏差表示部と
を有する調律器。
【請求項６】
請求項５記載の調律器であって、
さらに、少なくともノートの情報を記録する記録部を有し、
前記ノート判別部は、
ノートを判別した後に、前記記録部にノートのデータが記録されていない場合と、前記記録部のノートの情報と前記ノート判別ステップで判別したノートとが異なる場合には、ジャンプメータフラグをＯＮにすると共に、前記記録部のノートの情報を前記ノート判別ステップで判別したノートに変更し、
前記ピッチ偏差表示制御部は、
前記ジャンプメータフラグがＯＮの場合には、前記ピッチ偏差に対応する表示素子を表示状態にし、前記ジャンプメータフラグがＯＮではない場合には、直前に表示状態となっている表示素子から前記ピッチ偏差に対応する表示素子まで、表示状態とする表示素子を段階的に移動させる
ことを特徴とする調律器。
【請求項７】
請求項５または６記載の調律器であって、
前記表示素子がＬＣＤであり、
前記ピッチ偏差表示制御部では、表示状態とするＬＣＤが所定の範囲以上に変化する時は、前記表示状態とするＬＣＤの他に、当該ＬＣＤと隣接するＬＣＤも所定の時間表示状態とする
ことを特徴とする調律器。
【発明の詳細な説明】
【技術分野】
【０００１】
本発明は、入力音から判別されたピッチ（音高）と前記ピッチから判別されたノート（音階音名）から決まる基準ピッチとのピッチ偏差を表示するピッチ偏差表示方法とその方法を用いた調律器に関し、特に楽器の調律を行う際に用いる。
【背景技術】
【０００２】
楽器の調律を行う際に、従来から楽器の入力音から判別された入力音ピッチと入力音ピッチから判別されたノートの基準ピッチとのピッチ偏差を表示する装置（調律器）を用いていた。図１は、ギターやピアノの様な弦を使用した楽器から音を出した場合の入力音の変化を示す図である。図１Ａは入力音のピッチの変化を、図１Ｂは入力音の音量の変化を示している。図１Ｃは、図１Ａと図１Ｂに示す音が入力された場合に、従来の調律器で検出されるピッチ偏差の変化を示している。通常、ギターやピアノの様な弦を使用した楽器の場合、音を出した最初は高いピッチで、次第に低いピッチに変化し、ほぼ一定となり、その後、音量が減衰していく。そして、音量が検出不能範囲になると、ピッチ偏差は判別できなくなる。音の最初の部分をアタック、次第に低音に変化する部分をディケイ、ほぼ一定となる部分をサスティーン、音が消えていく部分をリリースという。
【０００３】
図２に、従来の調律器で検出されるピッチ偏差の変化（図１Ｃと同じ）と、従来の調律器が表示するピッチ偏差の変化を示す。図２には、ＬＥＤによってピッチ偏差を示す場合（上段）と、ＬＣＤによってピッチ偏差を示す場合（下段）が示されている。
機械式の調律器（針が指す位置でピッチ偏差を示す装置）のなごりもあり、従来の調律器では、無音状態あるいは入力音のピッチが検出されない状態のときに左端が点灯している。そして、音が入力され入力音ピッチが検出されると、針が振れるように、入力音ピッチの値を示す位置まで、点灯するＬＥＤまたはＬＣＤが移動する。針が振れるように移動するのは、人の目がピッチ偏差の変化に追従しやすいことも１つの理由である。その後は、徐々に入力音ピッチが下がっていくので、入力音ピッチに追従して点灯するＬＥＤまたはＬＣＤも移動し、サスティーンで入力音ピッチが安定した時に移動が停止し、入力音ピッチが検出不能状態になった時点で左端に戻る。この方法では、アタックでのピッチ偏差が正確に表示できない。しかし、調律では、サスティーンでの入力音ピッチ調節することが一般的なので、このような表示器でも問題なかった。
【０００４】
その後、音楽の流行の中で、アタックでの音の高さを調節する要求が生まれ、図２の表示器では対応できなくなった。そこで、アタックでの調律を可能にするための表示器として、アタックピッチ検出時にアタック時のピッチ情報を表示し、その後入力音のピッチが変化してもアタックでの入力音ピッチを保持する表示器もある（特許文献１）。
ところが、アタックでの入力音ピッチとサスティーンでの入力音ピッチの両方や、音の変化を確認しながら調律することも求められるようになり、従来の技術では対応できなくなった。
【特許文献１】特開２０００−６６６６７号公報
【発明の開示】
【発明が解決しようとする課題】
【０００５】
公開されている情報ではないが、図２のように動作する従来の調律器の機能構成例と処理フローを示す。図３は従来の調律器の機能構成例を示す図、図４は従来の調律器の処理フロー例を示す図である。調律器９００は、入力部９１０、ピッチ検出部９２０、ノート判別部９３０、ピッチ偏差判別部９４０、ピッチ偏差表示制御部９５０、ノート表示制御部９５５、ピッチ偏差表示部９６０（９６０’）、ノート表示部９６５、記録部９９０から構成される。ピッチ偏差表示制御部９５０は割り込みタイマー９５１を有している。また、ピッチ偏差表示部９６０は表示素子としてＬＥＤを用いており、ピッチ偏差表示部９６０’は表示素子としてＬＣＤを用いている。
【０００６】
調律器９００の電源を入れると、記録部９９０は記録部９９０内のデータをリセットする（Ｓ９０１、Ｓ９０２）。データには、ピッチ偏差表示部９６０（９６０’）が表示状態としている表示素子がどれかを示す情報（ＤＩＳＰ）、ピッチ偏差の情報（ＰＩＴＣＨ）、およびノートの情報（ＮＯＴＥ）が含まれる。ピッチ偏差表示制御部９５０とノート表示制御部９５５は、ピッチ偏差表示部９６０（９６０’）とノート表示部９６５の表示状態を初期化する（Ｓ９６９）。入力部９１０は、入力音を取り込む（Ｓ９１０）。また、必要に応じて入力音を増幅する。ピッチ検出部９２０は、入力音のピッチ（音高）を判定する（Ｓ９２１）。また、入力部９１０またはピッチ検出部９２０が、入力音の状態がピッチ（音高）を検出できる状態かを判断する（Ｓ９２２）。検出できない状態の場合には、ステップＳ９０２に戻る。検出できる状態の場合には、ノート判別部９３０が、ピッチ検出部９２０で検出された入力音のピッチからノート（音階音名）を判別し（Ｓ９３０）、記録部に記録する（Ｓ９３１）。ピッチ偏差判別部９４０は、ピッチとノートから決まる基準ピッチとのピッチ偏差を求め、記録部に記録する（Ｓ９４０）。そしてステップＳ９１０に戻り、処理を繰り返す。ピッチ偏差表示制御部９５０内の割り込みタイマー９５１が、割り込みを発生させると（Ｓ９５１）、ノート表示制御部９５５が、記録部９９０のノートの情報（ＮＯＴＥ）を読込み、ノート表示部９６５を制御してノートの情報を表示する（Ｓ９５５、Ｓ９６５）。ピッチ偏差表示制御部９５０は、記録部９９０のピッチ偏差の情報（ＰＩＴＣＨ）を読込み、直前に表示状態となっている表示素子からピッチ偏差に対応する表示素子まで、表示状態となる表示素子が段階的に移動するようにピッチ偏差表示部９６０（９６０’）を制御する（Ｓ９５０、Ｓ９６０）。
【０００７】
従来の調律器９００は上記のように動作し、図２に示したようにピッチ偏差が表示されるので、アタック時のピッチ偏差が正確に表示されない。したがって、アタックでの入力音ピッチとサスティーンでの入力音ピッチの両方や、音の変化を確認しながら調律したいという流行に対応できないという問題があった。
本発明は、アタックでの入力音ピッチとサスティーンでの入力音ピッチの両方や、入力音ピッチの変化を確認しながら調律できるピッチ偏差表示方法や調律器を提供することを目的とする。
【課題を解決するための手段】
【０００８】
本発明では、入力音から判別されたピッチと前記ピッチから判別されたノートから決まる基準ピッチとのピッチ偏差を、次のように表示位置によって示す。無音状態あるいはピッチ検出不能状態からピッチ検出可能状態になった場合、またはノートが変化した場合には、遅延無くピッチ偏差に対応する表示位置を示す。その他の場合には、表示位置を、直前の表示位置から最新のピッチ偏差に対応する表示位置まで段階的に移動させる。ここで、表示位置とは、複数のＬＥＤやＬＣＤのような表示素子を有する場合にはのどの表示素子を表示状態にするかを意味する。また、段階的に移動させるとは、例えば、表示位置を変更するタイミングごとの表示位置の変化を、あらかじめ定めた範囲内とし、機械式の調律器の針の動きのように、最新のピッチ偏差に対応する表示位置まで移動させることである。なお、入力音は、調律器に内蔵させたマイクから入力してもよいし、外付けのマイクから電気信号として入力してもよい。また、表示位置を示す表示手段は、調律器が有していてもよいし、外部の表示手段の表示位置を制御してもよい。
【０００９】
さらに具体的には、本発明の調律器では、入力部、ピッチ検出部、ノート判別部、ピッチ偏差判別部、ピッチ偏差表示制御部、ピッチ偏差表示部を有する。入力部は、入力音を取り込む。ピッチ検出部は、入力音のピッチを検出する。ノート判別部は、ピッチ検出部で判定された入力音のピッチからノートを判別する。ピッチ偏差判別部は、ピッチとノートから決まる基準ピッチとのピッチ偏差を求める。ピッチ偏差表示制御部は、ノートが変化した場合には、ピッチ偏差に対応する表示素子を表示状態にし、その他の場合には、直前に表示状態となっている表示素子からピッチ偏差に対応する表示素子まで、表示状態となる表示素子を段階的に移動させる。ピッチ偏差表示部は、ＬＥＤやＬＣＤのような表示素子を備え、ピッチ偏差を表示する。
【００１０】
また、調律器に、さらに、少なくともノートの情報を記録する記録部を備えさせ、ノート判別部が、ノートを判別した後に、前記記録部にノートのデータが記録されていない場合と、前記記録部のノートの情報と前記ノート判別ステップで判別したノートとが異なる場合には、ジャンプメータフラグをＯＮにすると共に、前記記録部のノートの情報を前記ノート判別ステップで判別したノートに変更する。そして、ピッチ偏差表示制御部が、ジャンプメータフラグがＯＮの場合には、ピッチ偏差に対応する表示素子を表示状態にし、ジャンプメータフラグがＯＮではない場合には、直前に表示状態となっている表示素子からピッチ偏差に対応する表示素子まで、表示状態とする表示素子を段階的に移動させるようにしてもよい。
また、表示素子がＬＣＤの場合には、ピッチ偏差表示制御部が、表示状態とするＬＣＤが所定の範囲以上に変化する時は、表示状態とするＬＣＤの他に、当該ＬＣＤと隣接するＬＣＤも所定の時間表示状態となるように制御してもよい。
【発明の効果】
【００１１】
本発明のピッチ偏差表示方法とその方法を利用した調律器によれば、無音状態あるいはピッチ検出不能状態からピッチ検出可能状態になった場合、またはノートが変化した場合には、遅延無くピッチ偏差に対応する表示位置を示す。その他の場合には、表示位置を、直前の表示位置から最新のピッチ偏差に対応する表示位置まで段階的に移動させる。
したがって、アタックでの音とサスティーンでの音の両方や、音の変化を確認できる。また、ノートが異なった範囲までピッチ偏差が変化した場合には、直前の入力音ピッチのピッチ偏差の表示位置に拘わらず、遅滞なく新しいノートと新しい入力音ピッチのピッチ偏差の表示位置を表示することで、ピッチ偏差の変化が同一のノートの範囲を超えた場合でも、新しいアタックでの入力音ピッチを表示することができる。
また、表示素子がＬＣＤの場合には、ピッチ偏差表示制御部が、表示状態とするＬＣＤが所定の範囲以上に変化する時は、表示状態とするＬＣＤの他に、当該ＬＣＤと隣接するＬＣＤも所定の時間表示状態となるように制御する。したがって、ピッチ偏差の変化が激しい場合でも、表示位置を判別し易くできる。
【発明を実施するための最良の形態】
【００１２】
以下では、説明の重複を避けるため同じ機能を有する構成部や同じ処理を行う処理ステップには同一の番号を付与し、説明を省略する。
［第１実施形態］
図５に本発明の第１実施形態の調律器の機能構成例を、図６にこの調律器の処理フローを示す。調律器１００は、入力部９１０、ピッチ検出部９２０、ノート判別部１３０、ピッチ偏差判別部９４０、ピッチ偏差表示制御部１５０（１５０’）、ピッチ偏差表示部９６０（９６０’）、記録部１９０を備えている。また、従来の調律器と同じように、ノート表示制御部９５５とノート表示部９６５も備えてもよい。ノート判別部１３０は、ジャンプ判定手段１３１を有しており、ピッチ偏差表示制御部１５０（１５０’）は割り込みタイマー９５１とジャンプ確認手段１５２を有している。また、ピッチ偏差表示部９６０は表示素子としてＬＥＤを用いており、ピッチ偏差表示部９６０’は表示素子としてＬＣＤを用いている。ピッチ偏差表示制御部１５０は、ピッチ偏差表示部９６０を制御するためのピッチ偏差表示制御部であり、ピッチ偏差表示制御部１５０’は、ピッチ偏差表示部９６０’を制御するためのピッチ偏差表示制御部である。
【００１３】
図３に示した従来の調律器９００と異なる構成部は、ノート判別部１３０、ピッチ偏差表示制御部１５０（１５０’）、記録部１９０である。ノート判別部１３０はジャンプ判定手段１３１が付加された点が異なり、ピッチ偏差表示制御部１５０（１５０’）は、ジャンプ確認手段１５２が付加された点が異なる。また、ジャンプ判定手段１３１とジャンプ確認手段１５２の付加に伴い、記録部１９０には、ジャンプ判定手段１３１の結果の情報としてジャンプメータフラグ（ＪＭＰＭＥＴＥＲ）も記録される。
図６の処理フローは、ステップＳ９３０までは図４の処理フローと同じである。ノート判別部１３０では、ステップＳ９３０でノートを判別した後、ジャンプ判定手段１３１が、判別したノートが記録部１９０に記録されているノート（前回判定したノートに該当する）と同一かを確認する（Ｓ１３１）。ノートのデータが記録されていない場合、記録部のノートの情報と前記ノート判別ステップで判別したノートとが異なる場合には、ステップＳ１３１は、ＮＯである。この場合は、ジャンプメータフラグ（ＪＡＭＰＭＥＴＥＲ）をＯＮにし、記録部１９０に記録する（Ｓ１３２）。また、新しいノートを記録部１９０に記録する（Ｓ９３１）。ステップＳ１３１がＹＥＳの場合には、ステップＳ９４０に進む。ステップＳ９４０（ピッチ偏差の計算と記録）が修了するとステップＳ９１０に戻り、処理を繰り返すことは図４と同じである。
【００１４】
図６の割り込み発生時の処理では、割り込みが発生すると、ジャンプ確認手段１５２が、ジャンプメータフラグがＯＮかを確認し、ジャンプメータフラグをリセットする（Ｓ１５２）。ステップＳ１５２がＮＯの場合には、ピッチ偏差を記録部１９０から読込み、直前に表示状態となっている表示素子からピッチ偏差に対応する表示素子まで、表示状態となる表示素子が段階的に移動するようにピッチ偏差表示部９６０（９６０’）を制御する（Ｓ１５０、Ｓ９６０）。ここで、段階的に移動させるとは、例えば、表示位置を変更するタイミングごとの表示位置の変化を、あらかじめ定めた範囲内とし、機械式の調律器の針の動きのように、最新のピッチ偏差に対応する表示位置まで移動させることである。ステップＳ１５２がＹＥＳの場合には、ピッチ偏差表示制御部１５０（１５０’）が、ピッチ偏差の情報を記録部１９０から読込み、ピッチ偏差表示部９６０（９６０’）を制御してピッチ偏差を表示する（Ｓ１５３（Ｓ１５３’）、Ｓ９６０）。なお、ＬＣＤを用いたピッチ偏差表示部９６０’の場合には、表示状態にするＬＣＤが所定の範囲以上に変化する時は、表示状態にするＬＣＤの他に、そのＬＣＤと隣接するＬＣＤ（または近傍のＬＣＤ）も一定時間表示状態とする。このように表示することで、急激な表示位置の変化にも人が判別しやすくなる。なお、割り込み処理のタイミングは、割り込みタイマー９５１により設定できる。例えば、８ミリ秒ごとに割り込みを発生させれば、ピッチ偏差表示部９６０（９６０’）の表示を８ミリ秒ごとに変化させることができる。
【００１５】
図７は、楽器の音が本発明の調律器に入力された場合にＬＥＤを用いたピッチ偏差表示部９６０の変化を示す図である。上述のような機能構成と処理フローなので、調律器は次のように動作する。無音状態あるいは入力音ピッチの検出不能な範囲の音量の時には、左端のＬＥＤが点灯している。アタックでの音をピッチ検出部９２０が検出すると、ノート判別部１３０は、ノートを判別し、ジャンプメータフラグをＯＮにする。ピッチ偏差判別部９４０は、ピッチ偏差を求め、記録部１９０に記録する。割り込みが発生すると、ピッチ偏差表示制御部１５０が、記録部１９０に記録されたピッチ偏差とジャンプメータフラグを読み込み、ピッチ偏差表示部９６０がピッチ偏差を表示する。その後は、楽器の音の高さに追従して、対応するＬＥＤが点灯していく。そして、最終的には入力音が検出不能な範囲の音量となり、初期状態である左端のＬＥＤが点灯している状態に戻る。
【００１６】
図８は、楽器の音が本発明の調律器に入力された場合のＬＣＤを用いたピッチ偏差表示部９６０’の変化を示す図である。図５と図６のような機能構成と処理フローなので、調律器は次のように動作する。無音状態あるいは入力音ピッチが検出不能な範囲の音量の時には、左端のＬＣＤが表示状態となっている。アタックでの音をピッチ検出部９２０が検出すると、ノート判別部１３０は、ノートを判別し、ジャンプメータフラグをＯＮにする。ピッチ偏差判別部９４０は、ピッチ偏差を求め、記録部１９０に記録する。割り込みが発生すると、ピッチ偏差表示制御部１５０’が、記録部１９０に記録されたピッチ偏差とジャンプメータフラグを読み込み、ピッチ偏差表示部９６０がピッチ偏差を表示する。このときは、無音状態あるいは検出不能な範囲の音量の時（左端のＬＣＤが）からアタックでの音のピッチ偏差に大きく変化するので、複数のＬＣＤが表示状態となっている。その後は、ピッチ偏差の変化が小さくなるので、表示状態のＬＣＤの数が減る。そして、楽器のピッチの高さに追従して、対応するＬＣＤが表示状態となっていく。そして、最終的には音が検出不能な範囲となり、初期状態である左端のＬＣＤが表示状態となる。
【００１７】
このような処理なので、アタックでの音とサスティーンでの音の両方や、音の変化を確認できる。また、ノートが異なった範囲までピッチ偏差が変化した場合には、直前の入力音ピッチのピッチ偏差の表示位置に拘わらず、遅滞なく新しいノートと新しい入力音ピッチのピッチ偏差の表示位置を表示することで、ピッチ偏差の変化が同一のノートの範囲を超えた場合でも、新しいアタックでの入力音ピッチを表示することができる。
［第２実施形態］
図９に、第２実施形態の調律器の機能構成例を示す。また、図１０に、第２実施形態の調律器の処理フローを示す。調律器２００は、入力部２１０、入力音のピッチを検出するピッチ検出部２２０、入力音のピッチに最も近いノートを判別するノート判別部２３０、入力音のピッチとノートから決まる基準ピッチとのピッチ偏差を判別するピッチ偏差判別部２４０、ＬＥＤ素子の点灯によってピッチ偏差を表示するピッチ偏差表示部９６０、ピッチ偏差表示部９６０を制御するピッチ偏差表示制御部２５０から構成される。入力部２１０は、楽器の音を取り込み、電気信号として出力する構成部である。楽器の音を取り込む方法としては、入力部２１０に内蔵マイクを備えさせ、内蔵マイクから音を取り込む方法、外付けのマイクから電気信号として取り込む方法などがある。
【００１８】
調律器２００の電源がＯＮになると、ピッチ偏差表示制御部２５０は、初期状態で点灯することとしているピッチ偏差表示部９６０のＬＥＤを点灯させる（Ｓ２０１）。入力部２１０は入力音を取り込む（Ｓ２１０）。入力部２１０またはピッチ検出部２２０は、入力音がピッチを検出できる状態かを確認する（Ｓ２１１）。入力音ピッチが検出可能である場合には、ピッチ検出部２２０が入力音のピッチを検出する（Ｓ２２０）。ノート判別部２３０は、入力音のピッチに最も近いノートを判別する（Ｓ２３０）。ピッチ偏差判別部２４０は、入力音のピッチとノートから決まる基準ピッチとのピッチ偏差を判別する（Ｓ２４０）。なお、この判別では、ピッチ偏差を求める処理を複数回行った平均値をピッチ偏差としてもよい。ピッチ偏差表示制御部２５０は、ピッチ偏差判別部２４０の出力に応じて、ピッチ偏差表示部９６０のＬＥＤを点灯させる（Ｓ２５０）。例えば、ピッチ偏差表示部９６０のＬＥＤごとに対応するピッチ偏差の範囲を決めておけば、ピッチ偏差判別部２４０の出力に応じて該当するＬＥＤを点灯させることができる。また、前記のピッチ偏差の範囲の境界付近のピッチ偏差が、ピッチ偏差判別部２４０から出力された場合に、ＬＥＤの明るさを調整しながら複数のＬＥＤを点灯させてもよい。ステップＳ２５０の処理が終了すると、ステップＳ２ｌ０に戻り、調律器２００の電源がＯＦＦとなるまで、この処理が繰り返される。なお、調律器２００にノート表示制御部９５５とノート表示部９６５を付加し、ノートを示す情報（ノート判別部２３０の出力）も表示してもよい。
【００１９】
このような処理なので、楽器の音が入力された場合のＬＥＤを用いたピッチ偏差表示部９６０の変化は、図７と同じとなる。したがって、アタックでの音とサスティーンでの音の両方や、音の変化を確認できる。また、ノートが異なった範囲までピッチ偏差が変化した場合には、直前の入力音ピッチのピッチ偏差の表示位置に拘わらず、遅滞なく新しいノートと新しい入力音ピッチのピッチ偏差の表示位置を表示することで、ピッチ偏差の変化が同一のノートの範囲を超えた場合でも、新しいアタックでの入力音ピッチを表示することができる。
［変形例］
図１１に、第２実施形態の変形例の調律器の機能構成例を示す。また、図１２に、本変形例の調律器の処理フローを示す。調律器３００は、入力部２１０、入力音のピッチを検出するピッチ検出部２２０、入力音のピッチに最も近いノートを判別するノート判別部２３０、入力音のピッチとノートから決まる基準ピッチとのピッチ偏差を判別するピッチ偏差判別部２４０、ＬＣＤ素子の点灯によってピッチ偏差を表示するピッチ偏差表示部９６０’、ピッチ偏差表示部９６０’を制御するピッチ偏差表示制御部３５０から構成される。図９の調律器２００との違いは、ピッチ偏差表示制御部３５０とピッチ偏差表示部９６０’である。
【００２０】
処理フローもステップＳ２４０までは同じである。ステップＳ２４０の処理が終了すると、ピッチ偏差表示制御部３５０は、ピッチ偏差判別部２４０の出力に応じたピッチ偏差表示部９６０’のＬＣＤを点灯させる（Ｓ３５０）。例えば、ピッチ偏差表示部９６０’のＬＣＤごとに対応するピッチ偏差の範囲を決めておけば、ピッチ偏差判別部２４０の出力に応じて該当するＬＣＤを点灯させることができる。また、前記のピッチ偏差の範囲の境界付近のピッチ偏差が、ピッチ偏差判別部２４０から出力された場合に、ＬＣＤの表示の濃さを調整しながら複数のＬＣＤを表示状態にしてもよい。
【００２１】
ＬＣＤを表示素子として用いる場合、ＬＣＤが目立ちにくいため、ステップＳ３５０では、以下のような処理を行えば、ピッチ偏差が大きく変化した場合でも操作者に分かりやすい表示ができる。例えば、ｌ００ｍｓ以内や処理の繰り返し５回以内のように、時間的な範囲をあらかじめ決めておき、この時間内でのピッチ偏差の変化があらかじめ定めた範囲内かを、ピッチ偏差表示制御部３５０が判断する（Ｓ３５２）。ステップＳ３５２がＹＥＳの場合には、ピッチ偏差表示制御部３５０は、ピッチ偏差に応じたＬＣＤを表示状態にする（Ｓ３５３）。ステップＳ３５２がＮＯの場合には、ピッチ偏差表示制御部３５０は、ピッチ偏差に応じたＬＣＤとその周辺のＬＣＤ（例えば、両隣のＬＣＤを含む３つのＬＣＤ、又はその隣のＬＣＤも含む５つのＬＣＤ）を表示状態にする（Ｓ３５４）。
【００２２】
ステップＳ３５０の処理が終了すると、ステップＳ２ｌ０に戻り、調律器３００の電源がＯＦＦとなるまで、この処理が繰り返される。なお、調律器３００にノート表示制御部９５５とノート表示部９６５を付加し、ノートを示す情報（ノート判別部２３０の出力）も表示してもよい。
このような処理なので、楽器の音が入力された場合のＬＥＤを用いたピッチ偏差表示部９６０’の変化は、図８と同じとなる。したがって、アタックでの音とサスティーンでの音の両方や、音の変化を確認できる。また、ノートが異なった範囲までピッチ偏差が変化した場合には、直前の入力音ピッチのピッチ偏差の表示位置に拘わらず、遅滞なく新しいノートと新しい入力音ピッチのピッチ偏差の表示位置を表示することで、ピッチ偏差の変化が同一のノートの範囲を超えた場合でも、新しいアタックでの入力音ピッチを表示することができる。さらに、ピッチ偏差の変化が激しい場合でも、表示位置を判別し易くできる。
【図面の簡単な説明】
【００２３】
【図１】ギターやピアノの様な弦を使用した楽器から音を出した場合の入力音の変化を示す図。
【図２】従来の調律器で検出されるピッチ偏差の変化と、従来の調律器が表示するピッチ偏差の変化を示す図。
【図３】従来の調律器の機能構成例を示す図。
【図４】従来の調律器の処理フロー例を示す図。
【図５】第１実施形態の調律器の機能構成例を示す図。
【図６】第１実施形態の調律器の処理フローを示す図。
【図７】本発明の調律器に楽器の音が入力された場合にＬＥＤを用いたピッチ偏差表示部の変化を示す図。
【図８】本発明の調律器に楽器の音が入力された場合のＬＣＤを用いたピッチ偏差表示部の変化を示す図。
【図９】第２実施形態の調律器の機能構成例を示す図。
【図１０】第２実施形態の調律器の処理フローを示す図。
【図１１】第２実施形態の変形例の調律器の機能構成例を示す図。
【図１２】第２実施形態の変形例の調律器の処理フローを示す図。
【図１】
2008129539.tif 000003
【図２】
2008129539.tif 000004
【図３】
2008129539.tif 000005
【図４】
2008129539.tif 000006
【図５】
2008129539.tif 000007
【図６】
2008129539.tif 000008
【図７】
2008129539.tif 000009
【図８】
2008129539.tif 000010
【図９】
2008129539.tif 000011
【図１０】
2008129539.tif 000012
【図１１】
2008129539.tif 000013
【図１２】
2008129539.tif 000014